(57)【特許請求の範囲】
【請求項１】
少なくとも１つのエンドレスベルト（２）を有する装置（１）であって、少なくとも１つのエンドレスベルト（２）の上ベルト部分の少なくとも下側（３）に、ガス状媒体のためのそれぞれ少なくとも１つの流出開口部（５）を有するノズルケース（４）が配置されており、ノズルケース（４）から流出するガス状媒体が上ベルト部分の下側（３）から導き出され、且つ、ノズルケース（４）の内部空洞（６）が、ガス状媒体のための少なくとも１つの供給導管（７）と接続されており、２つの隣接するノズルケース（４）の間に、ガス状媒体のための少なくとも１つの排出導管（９）と接続された、少なくとも１つの吸引開口部（８）が配置されており、
少なくとも１つの流出開口部（５）と、前記流出開口部に直接隣接する全ての流出開口部（５）との間に、それぞれ吸引開口部（８）の少なくとも１つが配置されている、装置において、
前記吸引開口部（８）がフィルタ（１０）によって覆われ、前記流出開口部（５）がフィルタ（１０）によって覆われていないことを特徴とする装置。
【請求項２】
フィルタ（１０）が穴あき薄板として形成されていることを特徴とする請求項１に記載の装置。
【請求項３】
吸引開口部（８）の、エンドレスベルト（２）の長手方向に延びる幅が、２つの隣接するノズルケース（４）の間の間隔に相当することを特徴とする請求項１又は２に記載の装置。
【請求項４】
供給導管（７）が供給通路によって形成されており、前記供給通路から、全てのノズルケース（４）の内部空洞（６）が分岐していることを特徴とする請求項１から３のいずれか１項に記載の装置。
【請求項５】
流出開口部（５）が、エンドレスベルト（２）の横方向に見て、実質的にノズルケース（４）の幅（ｂ）全体にわたって延びていることを特徴とする請求項１から４のいずれか１項に記載の装置。
【請求項６】
排出導管（９）が排出通路（１９）を有し、前記排出通路内へ管状の導管（１８）が連通し、前記導管がエンドレスベルト（２）へ向いた端部においてそれぞれ開放して形成されており、吸引開口部（８）がそれぞれ前記導管の開放した端部によって形成されていることを特徴とする請求項１から５のいずれか１項に記載の装置。
【請求項７】
排出導管（９）の流出領域（１１）が、ガス状媒体の流れ方向を反転させるための方向変換装置（１３）を介して供給導管（７）の流入領域（１２）と接続されていることを特徴とする請求項１から６のいずれか１項に記載の装置。
【請求項８】
方向変換装置（１３）が通路（１４）を有しており、前記通路が排出導管（９）を供給導管（７）と接続し、通路（１４）内に少なくとも１つの加熱要素（１５）が配置されており、ガス状媒体の流れ方向に見て加熱要素（１５）の前に少なくとも１つのシールド（２０）が配置されており、前記シールドによってガス状媒体が加熱要素（１５）の側方を通過するように案内されることを特徴とする請求項７に記載の装置。
【請求項９】
通路（１４）内に、ガス状媒体内に流れを発生させる装置（１６）が配置されていることを特徴とする請求項８に記載の装置。
【発明の詳細な説明】
【技術分野】
【０００１】
本発明は、請求項１の前提部に記載の装置に関する。
【背景技術】
【０００２】
冒頭で述べた種類の装置は、例えばフィルム、特にトリアセテートフィルムを形成する場合に使用され、トリアセテートフィルムは特にＬＣＤスクリーンを製造するために使用される。フィルムを載置して移送するためのプロセスベルトとして用いられるエンドレスベルトが、駆動ローラと方向変換ローラとの間で循環しており、駆動ローラと方向変換ローラとの間にベルトが挟持されている。まさに前述の種類の装置は、独国特許出願公開第２３４５２０５（Ａ１）号明細書及び特開２０１２−１９６８５８号公報から公知である。
【０００３】
前述の種類の装置において、エンドレスベルトは方向変換ローラによってほぼ１８０°方向変換される。上ベルト部分と下ベルト部分は、互いに対して実質的に平行に延びている。上ベルト部分は、従来技術においてはしばしば媒体のための載置面及び／又は移送面を形成し、その媒体は、例えば液体状であり、駆動ローラと方向変換ローラとの間で循環する、移動するエンドレスベルトであって、金属から形成され得るエンドレスベルト上へ塗布される。
【０００４】
エンドレスベルトの少なくとも上ベルト部分は、乾燥トンネルを通って案内され、その中でフィルムが乾燥される。通常、乾燥トンネル内で上面の側、すなわちエンドレスベルトのフィルムが支持される側に、加熱要素が配置されている。しかし、下側、すなわちエンドレスベルトの内側は、熱いガス状媒体によって、特に加熱された空気によって、暖められる。暖められたガス状媒体は、通常、ノズルケースからエンドレスベルトの下側へ向かって流れ、エンドレスベルトの下側から導き出される。このようにして生じる反跳流が、ノズルケースの間に配置されている吸引開口部によって吸引される。既知のノズルケースは、複数の流出開口部又は流出スリットを有しており、複数の流出開口部又は流出スリットはエンドレスベルトの長手方向に見て相互に前後して配置されており、ノズルケースの流出開口部の間には吸引開口部は配置されていない。その結果、２つの吸引開口部とエンドレスベルトの下側とによって画定される空間の容積は、極めて小さいが、２つのノズルケースの間の空間は比較的大きい容積を有しており、このことが、既知の解決策においては、ガス状媒体を吸引する場合にエンドレスベルトの下側では極めて大きい流れの差と乱流とを生じることがあり、エンドレスベルト内の望ましくない温度差をもたらすことがある。したがって、フィルム鋳造するための既知の装置においては、エンドレスベルトの端縁が中央に位置する領域よりも強く加熱される問題が生じる。
【０００５】
また、既知の解決策においては、ノズルケースの極めて密集した流出開口部から空気全体を吸引できるようにするためには、極めて高い吸引力が必要である。既知の解決策においては、吸引力が高いことに基づいて、特に、乾燥トンネルの始端領域内では、エンドレスベルトの下側に配置されている吸引開口部からエンドレスベルトの上側の空気が一緒に吸引されてしまうことがある。しかし、このことは、流れの乱流が激しいことに加えて、エンドレスベルトの上側の温度が、定まらない方法で変化して、形成された製品の著しい損傷をもたらすおそれがある、マイナスの効果も有している。
【発明の概要】
【発明が解決しようとする課題】
【０００６】
したがって本発明の課題は、従来技術の前述した欠点を克服することである。
【課題を解決するための手段】
【０００７】
この課題は、冒頭で述べた種類の装置によって、本発明によれば、請求項１の特徴部分の特徴によって解決される。
【０００８】
本発明に係る解決策は、エンドレスベルトの下側におけるガス状媒体の吸引の著しい改良を可能にし、その結果、ガス流が極めて強く沈静する。下側におけるガス状媒体の還流が改良されることに基づいて、エンドレスベルトの下側と上側の間の圧力差も、著しく減少され、又は特に完全に阻止されるので、乾燥プロセス中のエンドレスベルトの上と下の空気の混合も、極めて良好に阻止できる。
【０００９】
さらに、できるだけ均一な流れを得るために、フィルタが穴あき薄板として形成されていると、特に好ましいことが明らかにされている。
【００１０】
提供される組み込み空間を極めて良好に利用して、吸引開口部の可能な限り大きい面積と、ひいてはエンドレスベルトの下方の最適な流れプロフィールとを可能にする、本発明の変形例によれば、吸引開口部の、エンドレスベルトの長手方向に延びる幅が、２つの隣接するノズルケースの間の間隔に実質的に相当するように定めることができる。
【００１１】
全てのノズルケースからのガス状媒体の可能な限り均一な流出挙動を得ることができるようにするために、供給導管を通路によって形成することができ、その通路から全てのノズルケースの内部空洞が分岐している。エンドレスベルトの幅に沿った流れ挙動は、流出開口部がエンドレスベルトの横方向に見て、実質的にノズルケースの幅全体にわたって延びていることによって、さらに改良される。
【００１２】
エンドレスベルトの下側で反射されたガス状媒体の均一な吸引も得るために、排出導管が通路を有することができ、その通路内へ管状の導管が連通し、管状の導管がエンドレスベルトへ向いた端部においてそれぞれ開放して形成されており、吸引開口部がそれぞれ前記導管の開放した端部によって形成されている。
【００１３】
特に高いエネルギ効率を特徴とする、本発明の展開によれば、排出導管の流出領域が、ガス状媒体の流れ方向を反転させるための方向変換装置を介して供給導管の流入領域と接続されている。本発明の実施形態によれば、ガス状媒体は閉回路内で使用される。
【００１４】
本発明の変形例によれば、さらに、方向変換装置が通路を有することができ、方向変換装置の通路が排出導管を供給導管と接続し、通路内に少なくとも１つの加熱要素、特にガスバーナが配置されており、ガス状媒体の流れ方向に見て、加熱要素の前に少なくとも１つのシールドが配置されており、シールドによってガス状媒体が加熱要素の側方を通過するように案内される。加熱要素を配置することによって、ガス状媒体は、再びエンドレスベルトの上側へ当接する前に、所望の温度に加熱できる。シールドによって、加熱要素を付加的に流れの影響から遮蔽できる。すなわち、例えばガスバーナが使用される場合に、流れる媒体によって火炎が消えることを効果的に阻止できる。但し、ここで述べておくが、ガスバーナの代わりに他の構造の加熱要素、例えば電気的な加熱要素を使用することもできる。
【００１５】
簡単なやり方で、ガス状媒体の中に流れを発生させるために、通路内に流れを発生させる装置、特に送風機、を配置できる。
【００１６】
本発明を理解しやすくするために、以下の図を用いて本発明を詳細に説明する。
【００１７】
図は、それぞれ著しく簡略化した、図式的な表示である。
【図面の簡単な説明】
【００１８】
【図１】本発明に係る装置の部分を示す断面図である。
【図２】図１の装置を、ガス状媒体のための供給導管を排出導管と共に示している。
【図３】図１及び図２に示す装置のノズルケースを示す上面図である。
【図４】本発明に係る装置を、ガス状媒体のための方向変換装置と共に示す断面図である。
【発明を実施するための形態】
【００１９】
最初に記録しておくが、異なるように記載される実施形態において、同一の部分には同一の参照符号ないし同一の構成部分名称が設けられており、説明全体に含まれる開示は、同一の参照符号ないし同一の構成部分名を有する同一の部分へ意味に従って移し替えることができる。また、説明内で選択される、例えば上、下、側方などのような位置記載は、直接説明され、且つ、示される図に関するものであって、この位置記載は位置が変化した場合には意味に従って新しい位置へ移し替えられる。さらに、図示され、且つ、説明される様々な実施例からなる個別特徴または特徴の組合せも、それ自体自立した、進歩的または発明に基づく解決策を表すことができる。
【００２０】
具体的な説明における値の領域についての全ての記載は、任意の部分領域と全ての部分領域を共に含むものであって、例えば記載１から１０は、下限の１と上限の１０から始まる全ての部分領域、すなわち下限の１またはそれ以上で始まり、上限の１０またはそれ以下で終了する、例えば１から１．７、または３．２から８．１、又は５．５から１０の全ての部分領域、を一緒に含んでいるものとする。
【００２１】
図１によれば、本発明に係る装置１はエンドレスベルト２を有しており、エンドレスベルトは好ましい方法で、閉鎖された、好ましくはガス密（空気密）の表面を有し、且つ、例えば金属、プレプレグ材料又は同様の適切な材料から形成できる。
【００２２】
エンドレスベルト２の上ベルト部分の下側３に、又は言い方を変えると、媒体、特にフィルムのための移送表面として用いられる、上ベルト部分の表面とは逆の内側に、ガス状媒体のための流出開口部５を有するノズルケース４が配置されている。ノズルケースから流出するガス状媒体は、上ベルト部分の下側３又は上ベルト部分の内側から導き出される。図において、ガス状媒体の流れ方向が、矢印で示されている。ガス状媒体は、好ましくは空気であるが、もちろん本書において空気の代わりに他のガス混合物又はガスを使用できることを指摘しておく。すなわち空気の代わりに、保護ガス雰囲気を形成するために、不活性ガスも使用できる。装置１は、好ましくはフィルム鋳造装置であって、乾燥ボックスを有しており、乾燥ボックスの中には少なくとも１つのノズルケース４と、エンドレスベルト２の上ベルト部分の少なくとも一部と、が配置されている。本書に示す実施例においては、ノズルケース４はエンドレスベルト２の下側３のみに配置されているが、原則的に、エンドレスベルト２の上側にもノズルケース４を配置することが可能である。しかし、エンドレスベルト２の上側には、図２に示すように、上側に塗布されたフィルムを乾燥するための加熱要素１７を設けることもできる。
【００２３】
ノズルケース４の内部空洞６は、ガス状媒体のための供給導管７と接続されている。供給導管７は、（ボックス状の）通路によって形成することができ、その通路から全てのノズルケース４の内部空洞６が分岐している。ノズルケース４の内部空洞６は、流出開口部５の方向へ漏斗状に先細りにできる。各ノズルケース４は、好ましくは唯一の流出開口部５を有しており、流出開口部はエンドレスベルト２の横方向に見て、実質的にノズルケース４の幅ｂ全体にわたって延びている。
【００２４】
隣接する２つのノズルケース４の間に、吸引開口部８が配置されている。図１の他に図３からも認識できるように、１つの流出開口部５と、流出開口部に直接隣接する全ての流出開口部５との間に、それぞれ複数の吸引開口部８が配置されている。吸引開口部８はフィルタ１０によって覆うことができ、フィルタは、好ましくは穴あき薄板として形成されている。吸引開口部８と流出開口部５を説明したように配置することによって、特に乾燥トンネルの始端領域内で、使用されるガス状媒体の乱流と、エンドレスベルト２の上と下にあるガス状媒体（空気）間の望ましくない交換と、が最小限に抑えられる。図２には、この始端領域が、図の左端に示されている。
【００２５】
図１及び図３から認識されるように、エンドレスベルト２の長手方向に延びる、吸引開口部８の幅は、２つの隣接するノズルケース４の間隔に実質的に相当する。
【００２６】
さらに、吸引開口部８は、図２に参照符号９で示す、ガス状媒体のための排出導管９と接続できる。図４から明らかなように、排出導管９は通路１９を有することができ、その通路内へ管状の導管１８が連通している。この管状の導管１８は、多角形、矩形、円、又は長円の横断面を有することができる。もちろん、これに関連して矩形の横断面が特に好ましいことが明らかにされている。導管１８は、エンドレスベルト２へ向いた端部において開放して形成されており、吸引開口部８がそれぞれこの開放した端部によって形成されている。
【００２７】
図４に示すように、排出導管９の流出領域１１は、ガス状媒体の流れ方向を反転するための方向変換装置１３を介して供給導管７の流入領域１２と接続できる。排出導管９と供給導管７を接続することによって、ガス状媒体のための閉成された循環を形成できる。
【００２８】
方向変換装置１３は、通路１４を有することができ、その通路が排出導管９又は排出導管９の通路１９を供給導管７と接続する。流れを発生させるために、通路１４内に適切な装置１６、例えば送風機、を配置できる。さらに、供給導管７内のガス状媒体を所望の温度にするために、通路１４内に加熱要素１５、例えばガスバーナを配置できる。ガス状媒体の流れ方向に見て、加熱要素１５の前に少なくとも１つのシールド２０を配置することができ、シールドによってガス状媒体が加熱要素１５の側方を通過するように案内される。シールド２０は、図４に例示するように、２つの側壁（薄板）を有することができ、それら薄板は互いに１８０°より小さい角度を形成する。シールド２０によって加熱要素１５を流れる媒体から保護でき、且つ、ガスバーナを使用する場合には、火炎が消えることを阻止できる。
【００２９】
最後に形式的に指摘しておくが、本発明に係る装置の構造を理解しやすくするために、装置又はその構成要素は部分的に縮尺を離れ、及び／又は、拡大及び／又は縮小して示されている。
【符号の説明】
【００３０】
１    装置
２    エンドレスベルト
３    下側
４    ノズルケース
５    流出開口部
６    中空室
７    供給導管
８    吸引開口部
９    排出導管
１０  フィルタ
１１  流出領域
１２  流入領域
１３  方向変換装置
１４  通路
１５  加熱要素
１６  流れを発生させる装置
１７  加熱要素
１８  導管
１９  通路
２０  シールド
ｂ    幅
【図１】
0006747987.tif 000002
【図２】
0006747987.tif 000003
【図３】
0006747987.tif 000004
【図４】
0006747987.tif 000005